(57)【要約】【課題】主に、一体爪構造（一体型の樹脂爪構造）における、繰返し使用に対する安定性と、係止力とを両立させるようにする。【解決手段】樹脂部品２１から一体に突設された爪部２０を、相手部品２２に設けられた係止穴２３へ挿入して係止固定させる樹脂部品係止構造に関する。上記爪部２０が、上記樹脂部品２１から延びる一方の梁部３１と他方の梁部３２との先端部間を、連結折返部３３で連結することによって、上記一方の梁部３１と他方の梁部３２との間に、側方へ開口する開口部３４を有する閉ループ状挿入部３５とされる。上記係止穴２３が、少なくとも一方の側部に、上記閉ループ状挿入部３５の上記開口部３４内へ介在される破損防止用介在部６１を有するようにしている。【選択図】図１
2014126117.tif 000002
【特許請求の範囲】
【請求項１】
樹脂部品から一体に突設された爪部を、相手部品に設けられた係止穴へ挿入して係止固定させる樹脂部品係止構造において、
前記爪部が、前記樹脂部品から延びる一方の梁部と他方の梁部との先端部間を、連結折返部で連結することによって、前記一方の梁部と他方の梁部との間に、側方へ開口する開口部を有する閉ループ状挿入部とされ、
前記一方の梁部が、その外側面に前記係止穴の一方の縁部に係止可能な係止部を有し、
前記他方の梁部が、その外側面に前記係止穴の他方の縁部に当接可能な背面側受部を有すると共に、
前記係止穴が、少なくとも一方の側部に、前記閉ループ状挿入部の前記開口部内へ介在されることにより、前記一方の梁部が破損して、前記樹脂部品から分離されるのを防止可能な破損防止用介在部を有することを特徴とする樹脂部品係止構造。
【請求項２】
前記閉ループ状挿入部が、少なくとも、前記係止部よりも先端側の部分の幅寸法が先端側へ向かって狭くなる先狭形状とされ、
前記破損防止用介在部が、前記係止部よりも前記樹脂部品寄りの位置に設けられたことを特徴とする請求項１に記載の樹脂部品係止構造。
【発明の詳細な説明】
【技術分野】
【０００１】
この発明は、樹脂部品係止構造に関するものである。
【背景技術】
【０００２】
自動車などの車両には、車室内や車室外に、多数の樹脂部品が用いられている。このような樹脂部品を、車体や他の部品など（以下、相手部品という）に対して取付けるための構造には、大きく分けて、スクリュー固定と、爪固定との２つが存在している。
【０００３】
このうち、爪固定は、更に、樹脂部品とは別体の金属クリップや樹脂クリップなどの別体部品を用いた別体爪構造のものと、樹脂部品と同じ材質で樹脂部品に一体に形成された一体爪構造のもの（例えば、特許文献１参照）とに分けることができる。
【０００４】
このうち、上記した別体爪構造のものは、弾性変形能力の高い金属クリップや柔軟な樹脂クリップなどの別体部品を用いているため、繰返し使用に対する耐力や安定性が高いという特徴がある。
【０００５】
一方、上記した一体爪構造のものは、樹脂部品と同じ材料（例えば、硬質樹脂など）によって構成されているため、高い係止力を得るのが容易であるという特徴がある。また、一体爪構造のものは、樹脂部品に対して一体に形成されているため、別体爪構造のように金属クリップや樹脂クリップなどの別体部品を用いる必要がないので、別体爪構造のものと比べて、部品コストがかからず、また、別体部品を樹脂部品に組付けるための手間がかからないなどの特徴がある。
【０００６】
そして、これらの各構造には、一長一短があるため、用途に応じてそれぞれ使い分けられている。
【０００７】
図１０、図１１は、上記した一体爪構造（一体型の樹脂爪構造）を示すものである。この樹脂爪構造は、樹脂部品１に対し、相手部品に設けられた係止穴へ挿入可能な挿入部４と、この挿入部４の一側面から面外方向へ向け突設されて係止穴の一方の縁部に係止可能な係止部５とを一体に有するものとされる。
【０００８】
上記した挿入部４には、Ｕ字状のスリット部６が形成されることによって、スリット部６の内側に片持梁７が設けられる。そして、上記した係止部５は、この片持梁７に対して設けられている。この片持梁７は、挿入部４の先端側に対して連続されると共に、挿入部４の基部側がフリーなものとされている。
【０００９】
そして、挿入部４の他側面（背面）には、その両側部に沿って一対のリブ１１が一体に形成されている。このリブ１１には、係止穴の他方の縁部に対して当接可能な背面側受部１２と、相手部品を挿入方向１３に受ける挿入方向受部１４とが形成されている。
【００１０】
なお、上記した係止部５は、挿入部４の面直方向１５へ移動するスライド型を用いて成形される。
【先行技術文献】
【特許文献】
【００１１】
【特許文献１】特開２００９−９６２９５号公報
【発明の概要】
【発明が解決しようとする課題】
【００１２】
しかしながら、上記した一体型の樹脂爪構造（一体爪構造）には、以下のような問題があった。
【００１３】
即ち、上記した一体型の樹脂爪構造は、硬質樹脂などによって構成されているため、比較的容易に高い係止力を得ることができる反面、弾性変形能力が比較的低く、相手部品に対して係止させる際や係止中などに、弾性変形能力を越えるような大きな変形が与えられるなどによって塑性変形が生じると、係止力が一気に低下してしまい、繰返し使用が難しくなるなどの問題を有していた。
【００１４】
また、上記した一体型の樹脂爪構造は、挿入部４の全幅に亘って係止部５を設けることができず、また、挿入部４の全長に亘って片持梁７を設けることができないような構造になっていたため、挿入部４の一部しか係止保持の機能に寄与することができないなどの問題も有していた。
【課題を解決するための手段】
【００１５】
上記課題を解決するために、請求項１に記載された発明は、樹脂部品から一体に突設された爪部を、相手部品に設けられた係止穴へ挿入して係止固定させる樹脂部品係止構造において、前記爪部が、前記樹脂部品から延びる一方の梁部と他方の梁部との先端部間を、連結折返部で連結することによって、前記一方の梁部と他方の梁部との間に、側方へ開口する開口部を有する閉ループ状挿入部とされ、前記一方の梁部が、その外側面に前記係止穴の一方の縁部に係止可能な係止部を有し、前記他方の梁部が、その外側面に前記係止穴の他方の縁部に当接可能な背面側受部を有すると共に、前記係止穴が、少なくとも一方の側部に、前記閉ループ状挿入部の前記開口部内へ介在されることにより、前記一方の梁部が破損して、前記樹脂部品から分離されるのを防止可能な破損防止用介在部を有することを特徴とする。
請求項２に記載された発明は、上記において、前記閉ループ状挿入部が、少なくとも、前記係止部よりも先端側の部分の幅寸法が先端側へ向かって狭くなる先狭形状とされ、前記破損防止用介在部が、前記係止部よりも前記樹脂部品寄りの位置に設けられたことを特徴とする。
【発明の効果】
【００１６】
請求項１に記載された発明によれば、上記構成によって、以下のような作用効果を得ることができる。即ち、樹脂部品に一体に形成された爪部を相手部品に設けられた係止穴へ挿入して係止させることにより、樹脂部品を相手部品に対して固定保持させることができる。
この際、一方の梁部の外側面に設けた係止部が、係止穴の一方の縁部に係止されることにより、相手部品に対する樹脂部品の係止保持が行われる。また、他方の梁部の外側面に設けた背面側受部が、係止穴の他方の縁部に対して当接されることにより、相手部品に対する樹脂部品の面方向（爪部の挿入方向と直交する方向）の位置規制が行われる。
そして、相手部品の係止穴へ挿入される爪部を、樹脂部品から延びる一方の梁部と他方の梁部との先端部間を、連結折返部によって連結した閉ループ状挿入部とすることにより、構造的に爪部の弾性変形能力を高めることが可能となるので、爪部が係止穴へ挿入係止される際や挿入された後などに、塑性変形を起こし難くなり、爪部の塑性変形による係止力の低下を防止して、繰返し使用による耐力や安定性を向上することができる。しかも、爪部を閉ループ状挿入部としない場合と比べて、爪部の塑性変形による破損を生じ難くすることもできる。
加えて、閉ループ状挿入部は、側方（幅方向）へ移動するスライド型によって成形されるものとなるため、一方の梁部の係止部と対向する位置に障害物などがあって、一方の梁部の面直方向へスライド型を移動させられないような場合であっても、支障なく閉ループ状挿入部を成形する（或いは、型構造を成立させる）ことが可能となる。
そして、係止穴の少なくとも一方の側部に設けた破損防止用介在部を、閉ループ状挿入部の開口部内へ介在させることにより、一方の梁部が破損して樹脂部品から分離されるのを、破損防止用介在部が押さえて防止することができる。また、仮に、一方の梁部が破損した場合でも、破損防止用介在部が一方の梁部の背面を保持して、一方の梁部がほとんど変位されないようにすることで、係止状態を継続させることが可能となる。
以上により、一体爪構造（一体型の樹脂爪構造）であっても、繰返し使用に対する耐力や安定性をこれまでよりも向上しつつ、これまでと同様またはそれ以上の高い係止力を得ることができる。即ち、上記した安定性と係止力とを高いレベルで両立させることが可能となる。
請求項２に記載された発明によれば、上記構成によって、以下のような作用効果を得ることができる。即ち、閉ループ状挿入部が、少なくとも、係止部よりも先端側の部分の幅寸法が先端側へ向かって狭くなる先狭形状とされたことにより、閉ループ状挿入部の形状を単純化すると共に、閉ループ状挿入部を相手部品の係止穴へ挿入し易くすることができる。しかも、閉ループ状挿入部を係止穴へ挿入する際に、破損防止用介在部を開口部内へ自然に収容することもできる。
また、破損防止用介在部が、係止部よりも樹脂部品寄りの位置に設けられたことにより、係止部が係止穴の一方の縁部に係止される際や係止された後に、一方の梁部の基部に発生する負荷の少なくとも一部を、破損防止用介在部によって受けさせることができるようになるので、一方の梁部の基部が破損するのを効果的に防止することができる。
【図面の簡単な説明】
【００１７】
【図１】本発明の実施例にかかる樹脂爪構造の側面図である。
【図２】図１を前面側から見た斜視図である。
【図３】図１を背面側で且つ下側から見た斜視図である。
【図４】図２の分解斜視図である。
【図５】図１の樹脂爪構造を前面側から見た図である。
【図６】先狭形状部を有さない場合の樹脂爪構造を前面側から見た図である。
【図７】一方の梁部が破損した状態を示す図１の樹脂爪構造の側面図である。
【図８】破損時梁受部がない場合の樹脂爪構造の側面図である。
【図９】図８で破損した一方の梁部が背面側へ変形する状態を示す樹脂爪構造の側面図である。
【図１０】従来例にかかる樹脂爪構造の表面側から見た斜視図である。
【図１１】図１０を背面側から見た斜視図である。
【発明を実施するための形態】
【００１８】
以下、本実施の形態を具体化した実施例を、図面を用いて詳細に説明する。
図１〜図９は、この実施例およびその変形例を示すものである。
【実施例１】
【００１９】
＜構成＞以下、構成について説明する。
この実施例にかかる樹脂部品係止構造は、主に図１に示すように、樹脂部品２１から一体に突設された爪部２０（一体爪）を、相手部品２２に設けられた係止穴２３へ挿入して係止固定させるものとされる。
【００２０】
（補足説明）
上記した樹脂爪構造は、自動車などの車両の場合、車室内や車室外に設けられる各種の樹脂部品に対して設けられる。例えば、車室内の前部に設けられるインストルメントパネルや、このインストルメントパネルに取付けられる各種のサブパネルや、車室内に設置されるセンターコンソールや、このセンターコンソールに取付けられる各種のサブパネルなどに設けられる。
【００２１】
なお、樹脂部品２１および相手部品２２は、上記したものや、図示したような形状のものに限るものではない。また、係止穴２３は、挿入部２４が挿入できる最小限の大きさ（幅寸法および奥行き寸法）を有するものとされる。
【００２２】
爪部２０は、係止穴２３へ挿入可能な挿入部２４と、この挿入部２４の一側面から面外方向へ向け突設されて上記した係止穴２３の一方の縁部（図中左側の縁部）に係止可能な係止部２５とが一体に形成されたもの（一体爪）とされる。
【００２３】
そして、以上のような基本構成に対し、この実施例のものでは、以下のような構成を備えるようにしている。
【００２４】
（構成１）
上記爪部２０が、上記樹脂部品２１から延びる一方の梁部３１と他方の梁部３２との先端部間を、連結折返部３３で連結することによって、上記一方の梁部３１と他方の梁部３２との間に、側方へ開口する開口部３４を有する閉ループ状挿入部３５とされる。
そして、上記一方の梁部３１が、その外側面に上記係止穴２３の一方の縁部に係止可能な上記した係止部２５を有するものとされる。
また、上記他方の梁部３２が、その外側面に上記係止穴２３の他方の縁部に当接可能な背面側受部３６を有するものとされる。
更に、上記係止穴２３が、少なくとも一方の側部に、上記閉ループ状挿入部３５の上記開口部３４内へ介在されることにより、上記一方の梁部３１が破損して、上記樹脂部品２１から分離されるのを防止可能な破損防止用介在部６１を有するものとされる。
【００２５】
（補足説明１）
ここで、上記した「樹脂部品２１」は、硬質の樹脂によって構成される。但し、樹脂部品２１は、軟質の樹脂によって構成されたものとすることもできる。
【００２６】
上記した「相手部品２２」は、金属部品であっても、樹脂部品２１であっても良い。
【００２７】
上記した「係止部２５」は、先端側に導入テーパ部２５ａを有すると共に、基部側に係止穴２３の一方の縁部の裏面側に係止される係止面２５ｂを有する側面視ほぼ山型の突出部とされる。この場合、係止部２５の内側面は、係止部２５の突出形状に応じた凹形状とされている。この係止面２５ｂは、所要角度の傾斜を有するものとされている。係止部２５は、一方の梁部３１の幅方向４３の全域に亘って延びる広幅のものとされる。
【００２８】
上記した「一方の梁部３１」と、「他方の梁部３２」とは、それぞれ、（連結折返部３３によって連結されていない状態では、）互いに僅かな間隔を有して、樹脂部品２１からほぼ平行に延びる片持状のものとされる。一方の梁部３１と他方の梁部３２との間の間隔は、おおむね、一方の梁部３１または他方の梁部３２の肉厚のほぼ１．５倍から４倍程度の範囲内のものなどとされる。
【００２９】
上記した「連結折返部３３」は、文字通り、一方の梁部３１と、他方の梁部３２との先端部間を連結して一体化し、全体を折返形状にするためのものである。連結折返部３３周辺の内外面には、上記係止穴２３への挿入が容易となるように、また、応力集中を緩和するために、適宜アール加工が施されている。
【００３０】
上記した「開口部３４」は、閉ループ状挿入部３５に必要な弾性変形力を確保するために、一方の梁部３１と他方の梁部３２との間を連結する梁や壁などが何もない状態で、閉ループ状挿入部３５の先端部から基部まで、連続して挿入方向３８へ延びる通し空間を、少なくとも一つ有するものとされる。
【００３１】
上記した「閉ループ状挿入部３５」は、樹脂部品２１から面外方向へ向けてほぼ逆Ｕ字状に延びる比較的細長いもの（挿入部２４）とされる。この閉ループ状挿入部３５は、基部（付根部）側の部分間が樹脂部品２１によって閉ループ状に閉じられている、即ち、樹脂部品２１が閉ループ状の底部となる部分を有している。このほぼ逆Ｕ字状の閉ループ状挿入部３５は、その両端部（一方の梁部３１と他方の梁部３２との基部）が、樹脂部品２１に対して一体的に連続されることにより、両持梁を構成している。
【００３２】
この閉ループ状挿入部３５は、ほぼ全体が均等に弾性変形し得るようにするために、例外的な部分を除いてほぼ均一な肉厚を有するものとされている。例えば、上記した係止部２５の部分は、例外的に、他の部分よりも若干厚肉に構成されていると共に、それ以外の部分は、肉厚がほぼ一定とされている。この閉ループ状挿入部３５は、例えば、図示しないスライド型を幅方向４３（図２参照）へ移動させることによって形成される。これにより、閉ループ状挿入部３５は、一定の断面形状を有して幅方向４３へ延びるものなどとなる。
【００３３】
上記した「背面側受部３６」は、係止穴２３に対する挿入部２４の挿入方向３８へ延びるものとされる。背面側受部３６は、他方の梁部３２の先端側から中間部まで延びる比較的長いものとされている。
【００３４】
また、上記他方の梁部３２が、その外側面に、上記相手部品２２を挿入方向３８に受ける「挿入方向受部３７」を有しても良い。
【００３５】
上記した挿入方向受部３７は、相手部品２２（の表面側、または、図中下面側）の係止穴２３周辺の部分を受ける（当接支持する）ものとされる。挿入方向受部３７は、背面側受部３６よりも基部側の部分に設けられる。この挿入方向受部３７は、挿入部２４の面直方向４５で、且つ、一方の梁部３１とは反対側へ延びる屈曲面とされる。挿入方向受部３７は、上記面直方向４５へ所要の長さに延びた後、樹脂部品２１側へ屈曲されて上記挿入方向３８へ延びることにより、所要の長さの高さ調整部４６を有して樹脂部品２１に接続される。
【００３６】
そして、係止部２５の係止面２５ｂと挿入方向受部３７との間の距離４７が、相手部品２２の肉厚とほぼ等しくなるように設定される。
【００３７】
そして、上記した「破損防止用介在部６１」は、破損した一方の梁部３１を、破損前の位置からほとんど動かないように係止保持するものとしても機能する。破損防止用介在部６１は、好ましくは、係止穴２３の両側部に対して、一体に突設されるようにする。
【００３８】
（構成２）
図２〜図５（特に、図５）に示すように、上記閉ループ状挿入部３５が、少なくとも、上記係止部２５よりも先端側の部分の幅寸法が先端側へ向かって狭くなる先狭形状とされる。
そして、上記破損防止用介在部６１が、上記係止部２５よりも上記樹脂部品２１寄りの位置に設けられるようにする。
【００３９】
（補足説明２）
この場合、閉ループ状挿入部３５は、係止部２５よりも基部側に位置する部分から係止部２５を越えて先端部へ至るまでの広い範囲に亘って幅寸法が変化する先狭形状部４９を、少なくとも一方の側部または両側部に有するものとされる。この先狭形状部４９は、先端側へ進むに従い幅中央部へ向かう傾斜面などとされる。この傾斜面は、直線状としても良いし、曲線状としても良いし、それ以外の形状としても良い。この場合、先狭形状部４９は、閉ループ状挿入部３５の両側部に対して直線状に形成されている。
【００４０】
破損防止用介在部６１は、係止穴２３の側部から、樹脂部品２１の側へ向けて屈曲する部分を有するように突設形成されている。
【００４１】
なお、閉ループ状挿入部３５を先狭形状部４９にしない場合には、図６に示すように、閉ループ状挿入部３５の基部側に、側方へ向けて係止穴２３の幅寸法よりも大きく延びる段差状収容部５０を設けるようにすることもできる。この段差状収容部５０は、樹脂部品２１の側へ向けて屈曲された破損防止用介在部６１を収容可能なものとされる。この場合、破損防止用介在部６１は、段差状収容部５０における、一方の梁部３１と他方の梁部３２との間の部分に収容されることとなる。
【００４２】
（構成３）
そして、必要な場合には、図３に示すように、少なくとも上記他方の梁部３２が、緊急時の荷重入力によって破断可能な緊急時破断予定部５１を有するものとされる。
【００４３】
（補足説明３）
ここで、上記した「緊急時破断予定部５１」は、他方の梁部３２に対して少なくとも１つ以上設けるようにすることができる。この緊急時破断予定部５１は、他方の梁部３２を部分的に薄肉にするものであり、切欠部やノッチ部などの脆弱部とすることができる。この場合、緊急時破断予定部５１は、例えば、三角溝などの脆弱部とされている。この三角溝は、上記した幅方向４３へ延びるものなどとされている。但し、緊急時破断予定部５１は、三角溝に限るものではなく、また、幅方向４３へ延びるものに限るものではない。
【００４４】
この場合、緊急時破断予定部５１は、高さ調整部４６の内側面（開口部３４内）の部分（緊急時破断予定部５１ａ）と、挿入方向受部３７の内側面の部分（緊急時破断予定部５１ｂ）との２箇所に対して設けられている。そして、高さ調整部４６に設けた緊急時破断予定部５１ａが、メインのものとされ、挿入方向受部３７に設けた緊急時破断予定部５１ｂが補助的なものとされている。但し、緊急時破断予定部５１は、１箇所としても、３箇所以上としても良い。また、緊急時破断予定部５１は、他方の梁部３２の外面側などに対して設けることもできる。
【００４５】
（構成４）
上記において必要な場合には、図８に示すように、上記他方の梁部３２と上記樹脂部品２１との間に、上記他方の梁部３２の強度を調整可能な強度調整用壁部５５が設けられる。
【００４６】
（補足説明４）
ここで、上記した「強度調整用壁部５５」は、他方の梁部３２の基部側における、挿入方向受部３７と樹脂部品２１との間の、開口部３４の屈曲部分の内側に対し、全面的或いは部分的に設けられるようにする。
【００４７】
この場合、強度調整用壁部５５は、上記したスライド型との干渉を避けるために、閉ループ状挿入部３５の一側または他側に片寄せて設けるようにするのが好ましい。
【００４８】
この強度調整用壁部５５には、更に、上記した緊急時破断予定部５１を設けることができる。この緊急時破断予定部５１は、適宜の位置に適宜の数だけ設けることができるが、上記した挿入方向受部３７や高さ調整部４６に対して緊急時破断予定部５１が設けられる場合には、これらと連続させて同じ数だけ設けるなどするのが好ましい。この場合には、緊急時破断予定部５１として、上記した挿入方向３８や面直方向４５へ延びる三角溝を十字状に設けるようにしている。
【００４９】
＜作用＞以下、この実施例の作用について説明する。
樹脂部品２１に一体に形成された爪部２０を相手部品２２に設けられた係止穴２３へ挿入して係止させることにより、樹脂部品２１を相手部品２２に対して固定保持させることができる。
【００５０】
この際、一方の梁部３１の外側面に設けた係止部２５が、係止穴２３の一方の縁部に係止されることにより、相手部品２２に対する樹脂部品２１の係止保持が行われる。また、他方の梁部３２の外側面に設けた背面側受部３６が、係止穴２３の他方の縁部に対して当接されることにより、相手部品２２に対する樹脂部品２１の面方向（爪部２０の挿入方向と直交する方向）の位置規制が行われる。
【００５１】
更に、他方の梁部３２の外側面に挿入方向受部３７を設けた場合には、挿入方向受部３７が相手部品２２を受けることにより、相手部品２２に対する樹脂部品２１の挿入方向３８の位置規制を行うことができる。
【００５２】
＜効果＞この実施例によれば、以下のような効果を得ることができる。
（作用効果１）
そして、相手部品２２の係止穴２３へ挿入される爪部２０を、樹脂部品２１から延びる一方の梁部３１と他方の梁部３２との先端部間を、連結折返部３３によって連結した閉ループ状挿入部３５とすることにより、構造的に爪部２０の弾性変形能力を高めることが可能となるので、爪部２０が係止穴２３へ挿入係止される際や挿入された後などに、塑性変形を起こし難くなり、爪部２０の塑性変形による係止力の低下を防止して、繰返し使用による耐力や安定性を向上することができる。しかも、爪部２０を閉ループ状挿入部３５としない場合と比べて、爪部２０の塑性変形による破損を生じ難くすることもできる。
【００５３】
加えて、閉ループ状挿入部３５は、側方（幅方向）へ移動するスライド型によって成形されるものとなるため、一方の梁部３１の係止部２５と対向する位置に障害物などがあって、一方の梁部３１の面直方向へスライド型を移動させられないような場合であっても、支障なく閉ループ状挿入部３５を成形する（或いは、型構造を成立させる）ことが可能となる。
【００５４】
そして、係止穴２３の少なくとも一方の側部に設けた破損防止用介在部６１を、閉ループ状挿入部３５の開口部３４内へ介在させることにより、一方の梁部３１が破損して樹脂部品２１から分離されるのを、破損防止用介在部６１が押さえて防止することができる。また、仮に、図７に示すように、一方の梁部３１が破損した場合でも、破損防止用介在部６１が一方の梁部３１の背面を保持して、一方の梁部３１がほとんど変位されないようにすることで、係止状態を継続させることが可能となる。
【００５５】
これに対し、図８に示すように、破損防止用介在部６１を設けない場合には、一方の梁部３１が破損して樹脂部品２１から分離されるのを防止する機能が得られないと共に、図９に示すように、一方の梁部３１が破損して樹脂部品２１から分離された場合に、一方の梁部３１が大きく変位されて係止状態が容易に解除されてしまうこととなるので、係止状態を継続させることができなくなる。
【００５６】
以上により、一体爪構造（一体型の樹脂爪構造）であっても、繰返し使用に対する耐力や安定性をこれまでよりも向上しつつ、これまでと同様またはそれ以上の高い係止力を得ることができる。即ち、上記した安定性と係止力とを高いレベルで両立させることが可能となる。
【００５７】
（作用効果２）
閉ループ状挿入部３５が、少なくとも、係止部２５よりも先端側の部分の幅寸法が先端側へ向かって狭くなる先狭形状とされたことにより、閉ループ状挿入部３５の形状を単純化すると共に、閉ループ状挿入部３５を相手部品２２の係止穴２３へ挿入し易くすることができる。しかも、閉ループ状挿入部３５を係止穴２３へ挿入する際に、破損防止用介在部６１を開口部３４内へ自然に収容することもできる。
【００５８】
また、破損防止用介在部６１が、係止部２５よりも樹脂部品２１寄りの位置に設けられたことにより、係止部２５が係止穴２３の一方の縁部に係止される際や係止された後に、一方の梁部３１の基部に発生する負荷の少なくとも一部を、破損防止用介在部６１によって受けさせることができるようになるので、一方の梁部３１の基部が破損するのを効果的に防止することができる。
【００５９】
（作用効果３）
少なくとも他方の梁部３２が緊急時破断予定部５１を有することにより、緊急時の荷重入力によって、少なくとも他方の梁部３２を破断させることができる。これにより、緊急時の荷重入力を吸収し、緩和させることができる。
【００６０】
この場合、高さ調整部４６に設けた緊急時破断予定部５１ａと、挿入方向受部３７に設けた緊急時破断予定部５１ｂとが破断することにより、他方の梁部３２の基部が樹脂部品２１から分離されると共に一部が抜けて大幅に短くなり、樹脂部品２１が相手部品２２側へ大きく移動できるようになる。
【００６１】
（作用効果４）
他方の梁部３２と樹脂部品２１との間に強度調整用壁部５５を設けることにより、設計時などに強度調整用壁部５５を設定することによって他方の梁部３２の強度を調整することができる。これにより、閉ループ状挿入部３５の一部を構成する他方の梁部３２を、通常時に容易に破損されることのないように強化すると共に、閉ループ状挿入部３５の弾性変形能力や弾性変形の仕方を調整することができるので、閉ループ状挿入部３５を最適化することが可能となる。
【００６２】
なお、他方の梁部３２の強度を大きく上げたい場合には、強度調整用壁部５５は、他方の梁部３２の基部における、挿入方向受部３７と樹脂部品２１との間に対し、全体的に設けたり、或いは、厚肉に形成したりする。
【００６３】
反対に、他方の梁部３２の強度を小さく上げたい場合には、強度調整用壁部５５は、他方の梁部３２の基部における、挿入方向受部３７と樹脂部品２１との間に対し、部分的に設けるようにしたり、或いは、薄肉に形成したりする。
【００６４】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【産業上の利用可能性】
【００６５】
自動車用の樹脂部品に限らず、各種の分野に用いられる樹脂部品に対して広く適用することが可能である。
【符号の説明】
【００６６】
２０  爪部
２１  樹脂部品
２２  相手部品
２３  係止穴
２５  係止部
３１  一方の梁部
３２  他方の梁部
３３  連結折返部
３４  開口部
３５  閉ループ状挿入部
３６  背面側受部
４９  先狭形状部
６１  破損防止用介在部
【図１】
2014126117.tif 000003
【図２】
2014126117.tif 000004
【図３】
2014126117.tif 000005
【図４】
2014126117.tif 000006
【図５】
2014126117.tif 000007
【図６】
2014126117.tif 000008
【図７】
2014126117.tif 000009
【図８】
2014126117.tif 000010
【図９】
2014126117.tif 000011
【図１０】
2014126117.tif 000012
【図１１】
2014126117.tif 000013